(57)【特許請求の範囲】
【請求項１】
モアデッキ（１３）内において回転する刈刃（１６）の外周を円弧状のガイド体（１８ａ，１８ｂ，１８ｃ）で囲うマルチングモアの当該刈刃（１６）を長いブレード（１６ａ）と短いブレード（１６ｂ）とで構成し、これらを回転方向に位相をずらせると共に長いブレード（１６ａ）を下位に短いブレード（１６ｂ）を上位として回転軸（１７）に軸支するマルチングモアにおいて、上記長いブレード（１６ａ）で刈られた刈芝を細断しながら下方にたたき落す上記短いブレード（１６ｂ）を、軸支位置から外周に向かうに従い除々にデッキ（１３）天井側に接近すべく形成し、前記下位の長いブレード（１６ａ）の刈刃高さをガイド（１８ａ，１８ｂ，１８Ｃ）の下縁と略同じ高さに設け、且つ、下位の長いブレード（１６ａ）の刃部（イ）は刃先から上方に向い角（α）を形成し、上位の短いブレード（１６ｂ）の刃部（ロ）は刃先から下方に向い角（β）を形成すべく設け、更に、ガイド体（１８ａ，１８ｂ，１８ｃ）の内周面と前記長いブレード（１６ａ）の回転軌跡（ハ）との間隔は、進行方向前側の間隔（Ｌ１）に対し、後ろ側の間隔（Ｌ２）を広く設けたマルチングモア。
【発明の詳細な説明】
【０００１】
【発明の属する技術分野】
この発明は、芝等をモアデッキ内で持ち回させながら細かく細断し芝目の間に落していくマルチングモアに関する。
【０００２】
【従来技術】
従来、このようなモアはモアデッキ内に刈刃とこれの外周を囲うガイド体とを設け、かつブレードの長い刈刃で裁断し、適宜浮上させつつデッキ内を持ち回らせ、これを短いブレードの刈刃で細かく裁断する形態がある。
【０００３】
【発明が解決しようとする課題】
ところが、このような従来装置にあっては、短いブレードの刃部はデッキ天井から所定の間隔下位にあることが望ましく、換言すれば短いブレードの刃部の位置は長いブレードの刃部から所定距離上方に隔てた位置が適当である。即ち、長いブレードで裁断された芝草を舞い上げながら主として短いブレードで細かく裁断する構成であるから、短いブレードの刃部は長いブレードの刃部よりも高位にあって、このことは含有水分の高い芝草であればあるほど顕著であり、従って、デッキの天井と短いブレードとの間は狭くなり（図１８）、ここに刈芝が停滞し易く終には過負荷となって作業の継続に支障がある。又、狭い空間で芝草が対流状態となって過密となり天井部との擦れによるノイズが発生し易い。
【０００４】
【課題を解決するための技術手段】
この発明は前記した課題を解消しようとするものであり、併せて刈芝の流れを円滑ならしめようとするものである。このため、この発明は次のような技術的手段を講じた。即ち、モアデッキ内において回転する刈刃の外周を円弧状のガイド体で囲うマルチングモアの当該刈刃を長いブレードと短いブレードとで構成し、これらを回転方向に位相をずらせて回転軸に軸支すると共に、長いブレードで刈られた刈芝を細断しながら下方にたたき落す上記短いブレードを、軸支位置から外周に向かうに従い除々にデッキ天井に接近すべく形成してなるマルチングモアの構成とするものである。
【０００５】
また、上記において、長いブレードを下位に短いブレードを上位として回転軸に軸支し、下位の長いブレードの刈刃高さをガイドの下縁と略同じ高さに設けてなるマルチングモアの構成とするものである。さらに、長いブレードを下位に短いブレードを上位として回転軸に軸支し、下位の長いブレードの刃部(イ)は刃先から上方に向い角を形成し、上位の短いブレードの刃部(ロ)は刃先から下方に向い角を形成すべく設けてなるマルチングモアの構成とする。
【０００６】
【発明の実施の形態】
以下、図面に基づきこの発明の実施例を説明する。まず、構成から説明すると、１は動力車両としての一例を示すトラクタで前輪２、２と後輪３、３を備え、機体前部に搭載したエンジン５の回転動力をミッションケース６内の変速装置（図示省略）を介して適宜減速し、これを前輪２、２と後輪３、３とに伝えるように構成している。
【０００７】
前記ミッションケース６には油圧式の無段変速装置が備えられ、フロア７の右側に設けた前後進ペダル（図示省略）を踏み込むことにより機体が前進あるいは後進する。ミッションケース６の後部にはリヤＰＴＯ軸９が突設され、中央下部には前方へ向けてミッドＰＴＯ軸１０が突設されている。
【０００８】
機体下部にはリンク機構１２を介してモアデッキ１３が昇降自在に取り付けられている。そして、座席右側の油圧操作レバー（図示省略）を前後方向に操作することによりモアデッキ１３が上下に移動して刈り高さを調節する。モアデッキ１３内には図に示すように３組の刈刃１６，１６…が横方向に所定間隔をあけて回転軸１７，１７…に夫々軸支されており、前記のミッドＰＴＯ軸１０から回転動力を得てこれら刈刃１６，１６…が回転するように構成している。
【０００９】
そして、これらの刈刃１６，１６…は円筒状のガイド体１８でその回転外周側が囲われている。前記刈刃１６，１６…はいずれも下部側の長いブレード１６ａと上部側の短いブレード１６ｂを十字状に交叉させて回転軸１７に設けたもので、長いブレード１６ａの前縁には刃部(イ)を設けると共にその外側部には立上状の起風部１６ｃを設け、一方、上部の短いブレード１６ｂの前縁にも刃部(ロ)を設け、その外側には刈り取った草をたたき落すためのたたき落とし部１６ｄを設けている。なお、上記長いブレードの刃部(イ)は刃先が下方に向い角αを形成し、上位の短いブレード１６ｂの刃部ロは刃先が上方に向い角βを形成すべく構成している。
【００１０】
また、上記短いブレード１６ｂは、中央の回転軸１７との連結部が最も下位となってモアデッキ１３の天井から離れ、除々にこの天井に近づくべくその回転軌跡がすり鉢状を呈するよう形成される。図４はモアデッキ１３に溶接等の手段で吊り下げ状に固着されるガイド体１８の斜視図を示すものである。中央のガイド体１８ａは左右のガイド体１８ｂ，１８ｃよりも前方に突出しており、隣接する部位は以下のようになっている。つまり、中央のガイド体１８ａを完全円周に形成し、左右のガイド体１８ｂ，１８ｃの外周を一部欠如して該欠如によって形成される端縁を中央のガイド体１８ａに接合固定するものである。
【００１１】
符号２０は中央のガイド体１８ａの一部であって、隣接する部位の仕切壁となる縦壁を示し、下端側には隣接する長いブレードの刃部(イ)先端が当該ガイド体に干渉しないよう切欠部２１を存在させている。なお、この実施例ではガイド体１８の隣接する部位を斜めに切欠いて三角状の板２３を溶接等により固着する形態としている。このように隣接部に板２３を固着することによって移動中の刈草がガイド体１８ａ、１８ｂの隅部に引っ掛ったりしないようにしている。なお、この斜めの切欠きは進行方向前側のみとし、後側は起立縁を残して芝草の排出移動を少なくしている。
【００１２】
また、ガイド体１８の内周面と長いブレード１６ａの回転軌跡ハとの間隔は、進行方向前側の間隔Ｌ1に対し、後ろ側の間隔Ｌ2が広い関係（例えばＬ1＝１０ｍｍ，Ｌ2＝２０ｍｍ）に設けられ、当該前側から後ろ側に向かうに従い除々にその間隔は広くなる関係に設けられる。さらにガイド体１８と長いブレード１６ａとの上下位置関係について、進行方向前方側では、このブレード１６ａは植立する芝に直接作用してこれの上部を適宜裁断しなければならないから、ブレード１６ａの位置よりもガイド体１８前側下端は高い関係に設定される。本実施例では、中央のガイド体１８ａと左右のガイド体１８ｂ及び１８ｂとの繋ぎ部分で最もブレード１６ａが現れ（図７中(ニ)）、端部側でブレード高さに略揃う（同図中(ホ)）よう形成されている。一方、前側以外ではガイド体１８下端はこのブレード１６ａ位置と同等かあるいはこれよりも低く設定されて、刈り芝の飛散を防いでいる。従って前側で刈り取られた刈り芝は持ち回りされつつ後側では確実に芝目間に落下しうる。
【００１３】
また、ガイド体１８の上下高さは一定ではなく、図４，図６に示すように中央のガイド体１８ａ後側と左右のガイド体１８ｂ下部の上下方向の長さが僅かに短くなるようにしている。従って、個々のガイド体１８内で刈り取られた芝や草の量が多くなるとこの隙間ｓを介して細かい刈り草等は後方へ放出されることになる。
【００１４】
また、マルチング作業での草のこぼれを少なくするためにこの実施例の装置には次のような工夫が施されている。即ち、図９に示すようにガイド体１８を包み込むモアデッキ１３は刈刃１６下端部（長いブレードの刃部(イ)）から９０ｍｍ以上（図中符号Ａ）の空間部が設けてあり、モアデッキ１３の下端部から刈刃１６の下端までの距離は約１０ｍｍ程度（図中符号Ｂ）である。
【００１５】
平面から見たときの隣接する刈刃同士のオーバーラップ代は草の刈り残しにも影響を及ぼすものであり、ここで説明した装置においては約３０ｍｍに設定している。従って、左右にハンドルを切った蛇行状態であっても、刈り残しを伴わず安定して作業を継続できる。更に刈刃１６の周速は７６ｍ／ｓｅｃにしている。２５はゲージ輪である。
【００１６】
上例において芝や草の刈取作業を行なう場合には、まずゲージ輪２５を上下調節して刈り高さを設定し、エンジン５を回転させてミッドＰＴＯ軸１０を回転駆動させる。すると３枚の刈刃１６が回転を始め、トラクタを前進(ヘ)させて芝や草を刈り取る。即ち、トラクタ進行と共にデッキ下縁を潜りかつガイド体１８前縁で前倒し状となった植立芝は長いブレード１６ａの作用を受けて裁断される。トラクタの前進(ヘ)を伴うため、下部側の長いブレード１６ａで裁断された上記の芝は一度持ち上げられた後、下部ブレート１６ａと一体的に回っている上部側の短いブレード１６ｂによって更に細かく裁断されると共に今度は下向きに放出されガイド体１７下部に落下させられる。
【００１７】
個々のガイド体１７内で細かく裁断された芝や草は、主としてガイド体１８ａ，１８ｂ，１８ｃの内周縁と長いブレード１６ａの回転軌跡(ハ)との間隔部から芝目間に落下する。図１１は別実施例を示すものである。上記の例と異なる点は、刈刃１６の回転軸１７の回転方向にあり、３軸全ての回転方向を同一とする上記実施例に対し、中央の刈刃の回転軸１７ａを正転させ、左右の刈刃の回転軸１７ｂ，１７ｃを逆転させている。即ち、図１１に示すマルチングモアにあっては、刈刃を駆動する縦軸を３軸構成とし、やや前位に位置する中央の刈刃の軸を正転駆動するのに対し、左右の刈刃軸を逆転駆動する形態であるから、中央と左・右の刈刃との接近部では、刈刃が互いに同一方向に回転移行する構成となって、細かく裁断された芝同士が衝突することがないために、円滑に持ち回りされつつ落下して拡散効果を損なわない効果がある。なお、３０はベルト伝動機構、３１，３１は逆転伝動ケースである。
【００１８】
【発明の作用及び効果】
この発明は前記の如く、モアデッキ（１３）内において回転する刈刃（１６）の外周を円弧状のガイド体（１８ａ，１８ｂ，１８ｃ）で囲うマルチングモアの当該刈刃（16）を長いブレード（１６ａ）と短いブレード（１６ｂ）とで構成し、これらを回転方向に位相をずらせると共に長いブレード（１６ａ）を下位に短いブレード（１６ｂ）を上位として回転軸（１７）に軸支するマルチングモアにおいて、上記長いブレード（１６ａ）で刈られた刈芝を細断しながら下方にたたき落す上記短いブレード（１６ｂ）を、軸支位置から外周に向かうに従い除々にデッキ（１３）天井側に接近すべく形成してなるから、該ブレード（１６ｂ）はすり鉢状の回転軌跡をとって、このすり鉢状圏内には長いブレード（１６ａ）で切断されつつ刈り芝が送られて対流しながら短いブレード（１６ｂ）の細断作用を受けることとなるが、この対流空間が広くなって刈り芝停滞を来さず、過剰な負荷運転を生じない。
【００１９】
また、前記下位の長いブレード（１６ａ）の刈刃高さをガイド体（１８ａ，１８ｂ，１８ｃ）の下縁と略同じ高さに設けるため、上位の短いブレード（１６ｂ）を限界まで下げた下位側の長いブレード（１６ａ）に極力接近させて取付けられるから、すり鉢状の空間を大きく設定できる。さらに、下位の長いブレード（１６ａ）の刃部（イ）は刃先から上方に向い角（α）を形成し、上位の短いブレード（１６ｂ）の刃部（ロ）は刃先から下方に向い角（β）を形成すべく設けるから、長いブレード（１６ａ）で刈り取られた芝草は刃部（イ）が案内ガイドの役割を果たしその方向が上昇側となって刈り芝の上昇移行を促進し、一方短いブレード（１６ｂ）で細断された細断芝は刃部（ロ）が下方向きの案内ガイドの役割を果たして芝目間への落下を促進する。
更に、ガイド体（１８ａ，１８ｂ，１８ｃ）の内周面と前記長いブレード（１６ａ）の回転軌跡（ハ）との間隔は、進行方向前側の間隔（Ｌ１）に対し、後ろ側の間隔（Ｌ２）を広く設けたから、前側で刈り取られた刈り芝は持ち回りされつつ後側では確実に芝目間に落下できる。
【図面の簡単な説明】
【図１】 全体側面図である。
【図２】 要部の平断面図である。
【図３】 要部の側断面図である。
【図４】 ガイド体の斜視図である。
【図５】 ブレードの斜視図である。
【図６】 底面から見た要部の斜視図である。
【図７】 ガイド体の正面図である。
【図８】 ガイド体の背面図である。
【図９】 作用説明図である。
【図１０】 モアデッキ平面図である。
【図１１】 別実施例のモアデッキ平面図である。
【図１２】 ブレードの平面図である。
【図１３】 ブレードの正面図である。
【図１４】 ブレードの底面図である。
【図１５】 ブレードの背面図である。
【図１６】 ブレードの左側面図である。
【図１７】 ブレードの右側面図である。
【図１８】 従来の側断面図である。
【符号の説明】
１…トラクタ、２，２…前輪、３，３…後輪、５…エンジン、６…ミッションケース、７…フロア、９…リヤＰＴＯ軸、１０…ミッドＰＴＯ軸、１２…リンク機構、１３…モアデッキ、１６，１６…刈刃、１６ａ，１６ｂ…ブレード、１７…回転軸、１８，１８ａ，１８ｂ，１８ｃ…ガイド体、２０…縦壁、２１…切欠部、２３…板、２５…ゲージ輪
【図１】
0003799848.tif 000002
【図２】
0003799848.tif 000003
【図３】
0003799848.tif 000004
【図４】
0003799848.tif 000005
【図５】
0003799848.tif 000006
【図６】
0003799848.tif 000007
【図７】
0003799848.tif 000008
【図８】
0003799848.tif 000009
【図９】
0003799848.tif 000010
【図１０】
0003799848.tif 000011
【図１１】
0003799848.tif 000012
【図１２】
0003799848.tif 000013
【図１３】
0003799848.tif 000014
【図１４】
0003799848.tif 000015
【図１５】
0003799848.tif 000016
【図１６】
0003799848.tif 000017
【図１７】
0003799848.tif 000018
【図１８】
0003799848.tif 000019